(57)【要約】【課題】  幼児用、成人用フード付き衣装の襟部に弛み無しにフードを広げて乾燥させる。【解決手段】  衣服ハンガーの左肩と右肩間に伸びるショルダー支持アームを中央から左右に分け、左右に分けたショルダー支持アームは横U字形状に成りフードの鍔アームになっていて、フードの鍔アームにフック軸軸受けが形成され、フック軸軸受けにフック軸が貫通し、フック軸にフック軸スプリングが装着され、フードの鍔アームの下部の端と、フードバックアームと、フードサイドアームに吊り下げ軸軸受けが形成され、吊り下げ軸軸受けに吊り下げ軸が貫通していて、フック軸と吊り下げ軸を支点としてフードの鍔アームと、フードサイドアームと、フードバックアームの方向を変える事ができて、フードの鍔を開いてフードの鍔ピンチで留める。【選択図】図３
2019187471.tif 000002
【特許請求の範囲】
【請求項１】
衣服ハンガーにおいて、衣服ハンガーにフード付き衣装を乾す為のフードハンガーの機能を持たせるために、衣服ハンガーの左肩と右肩間に伸びるショルダー支持アームを中央から左右に分け、左右に分けたショルダー支持アームは横U字形状に成りフードの鍔アームになっていて、フードの鍔アームの上部の端にフック軸軸受けが形成され、フックにフック軸が設けられていて、フック軸軸受けにフック軸が貫通し、フック軸に溝を設けてあって、フック軸にフック軸スプリングが装着され、溝に留めCワッシャーがはまっている、と共に、フードの鍔アームの下部の端と、フードバックアームと、フードサイドアームの一端に吊り下げ軸軸受けが形成され、吊り下げ軸軸受けに吊り下げ軸が貫通していて、吊り下げ軸に溝を設けてあって、吊り下げ軸にスプリングが装着され、溝にCワッシャーがはまっていて、フック軸と吊り下げ軸を支点としてフードの鍔アームと、フードサイドアームと、フードバックアームの方向を変える事ができる、と共に、フードの鍔アームにフードの鍔ピンチが設けられて、フードの鍔を開いてフードの鍔をフードの鍔ピンチで留めることが出来る事を特徴とする衣服用ハンガー。
【請求項２】
衣服ハンガーにおいて、衣服ハンガーにフードハンガーの機能を持たせるために、衣服ハンガーの左肩と右肩間に伸びるショルダー支持アームを中央から左右に分けてフードの鍔アームにして、フードの鍔アームは横U字形状に成っていて、フードの鍔アームの上部の端にフック軸軸受けが形成され、フックにフック軸が設けられていて、フック軸の一端はフック軸フックに成っていて、フック軸軸受けにフック軸が貫通し、フック軸軸受けにフック軸フックが引っかかって留まっている、と共に、フードの鍔アームの下部の端と、フードバックアームと、フードサイドアームの一端に吊り下げ軸軸受けが形成されて、吊り下げ軸軸受けに吊り下げ軸が貫通していて、吊り下げ軸上部に留めフックが設けられ、フードの鍔アームの吊り下げ軸軸受けに留めフックが引っかかって留まっていて、フック軸と吊り下げ軸を支点としてフードの鍔アームと、フードバックアームと、フードサイドアームの向きを変えることが出来る、と共に、フードの鍔アーム(５２)の内側にフードの鍔ピンチ(５３)が設けられていてフードの鍔を開いてフードの鍔をフードの鍔ピンチで留めることが出来る事を特徴とする衣服用ハンガー。
【請求項３】
衣服用ハンガーにおいて、フード衣服用ハンガーは、小型衣服ハンガーと衣服ハンガーと折り畳みジョイントの構成であって、小型衣服ハンガーの左肩と右肩間に伸びるショルダー支持アームを中央から左右に分けてフードの鍔アームにして、フードの鍔アームの上端にフック軸軸受けが形成され、フック軸軸受けにフック軸が貫通していて、フードの鍔アームにフードの鍔ピンチが設けられている、と共に、折り畳みジョイントは、ジョイントアームとジョイントベースの構成であって、ジョイントアームの端に吊り下げ軸軸受けが形成され他端はジョイント軸に成っていて、ジョイントベースの下部はジョイント軸軸受けが形成され、ジョイント軸にジョイント軸軸受けが装着され、ジョイントアームはジョイント軸を要として回転自在に成っていて、ジョイントベースの上部はジョイントベース軸であって、フードの鍔アームの下端はジョイントベース軸軸受けに成っていて、フードの鍔アームの下にジョイントベース軸軸受けを有するフードサイドアームが設けられ、それぞれのジョイントベース軸軸受けにジョイントベース軸が貫通して、フードの鍔アームはフック軸とジョイントベース軸を要として開閉出来て、衣服ハンガーの上部の吊り下げ軸に吊り下げ軸軸受けが装着され、ジョイントアームは吊り下げ軸を要として回転自在に成っていて、フードの鍔アーム留めに衣服ハンガーの一部を挟んで小型衣服ハンガーと成人用の衣服ハンガーを一体の状態に出来る事を特徴とする衣服用ハンガー。
【請求項４】
衣服用ハンガーにおいて、フックに湾曲状の溝が形成され、フックに装着された湾曲形状のハンガー脱落止めに脱落止めフックと操作突起が設けてあって、溝に脱落止めフックがはまっていて、操作突起を上下してフックの開口部を開閉出来る事を特徴とする衣服用ハンガー。
【発明の詳細な説明】
【技術分野】
【０００１】
この発明は衣服用ハンガーであって、衣服用ハンガーにフードを乾す為の機能を追加した衣服用ハンガー関する。
【背景技術】
【０００２】
従来フードの上部が開かないフードハンガー、又フードが風により外れてフードが襟の部分にまとまってしまうフードハンガーが見られた。
【先行技術文献】
【特許文献】
【０００３】
【特許文献１】特開２０１０−１７８８１１
【特許文献２】特開２００９−４６６
【特許文献３】特開２０１２−８１２２８
【０００４】
特許文献１は、本考案と同じ分野と思われるが、肩幅拡張パットの一端を支点として左右の肩幅拡張パットを左右から上に立ててフード支持アームにしている。
【０００５】
特許文献２は、本考案と同じ分野と思われるが、フードの淵はフックの下を通過している。
【０００６】
特許文献３は、本考案と同じ分野と思われるが、フードの大きさのちがいを、フードを広げる部分の上下により対応している。
【発明の概要】
【０００７】
衣服ハンガーの左右の肩が横U字形状である衣服ハンガーの左肩と右肩間に伸びるショルダー支持アームを中央から左右に分け、左右に分けたショルダー支持アームは横U字形状に成りフードの鍔アームになっていて、フードの鍔アームにフック軸軸受けが形成され、フック軸軸受けにフック軸が貫通し、フック軸にフック軸スプリングが装着されている。
【０００８】
フードの鍔アームの下部の端と、フードバックアームと、フードサイドアームに吊り下げ軸軸受けが形成され、吊り下げ軸軸受けに吊り下げ軸が貫通していて、フック軸と吊り下げ軸を支点としてフードの鍔アームと、フードサイドアームと、フードバックアームの方向を変える事ができて、フードの鍔を開いてフードの鍔ピンチで留めることが出来る。
【発明が解決しようとする課題】
【０００９】
特許文献１は、本考案と同じ分野と思われるが、フードの大小に対応出来ず、又、フードを広げる事が出来ない、又、肩幅拡張パットを上に上げてしまうので肩幅を広げることができないため袖ぐり下が乾かない解決すべき問題点がある。
【００１０】
特許文献２は、フードの上部が開かない、又フードは風を含み易く風によりフードが外れてフードが襟の部分にまとまって乾かない問題点がある。
【００１１】
特許文献３は、フードは風を含み易く風によりフードが外れてフードが襟の部分にまとまって乾かない問題点がある、又、フード付き衣装が少ない時期にフードを広げる部分が邪魔になる問題点がある。
【課題を解決するための手段】
【００１２】
本願発明１、衣服ハンガーにおいて、衣服ハンガーにフード付き衣装を乾す為のフードハンガーの機能を持たせるために、衣服ハンガーの左肩と右肩間に伸びるショルダー支持アームを中央から左右に分け、左右に分けたショルダー支持アームは横U字形状に成りフードの鍔アームになっていて、フードの鍔アームの上部の端にフック軸軸受けが形成され、フックにフック軸が設けられていて、フック軸軸受けにフック軸が貫通し、フック軸に溝を設けてあって、フック軸にフック軸スプリングが装着され、溝に留めCワッシャーがはまっている、と共に、フードの鍔アームの下部の端と、フードバックアームと、フードサイドアームの一端に吊り下げ軸軸受けが形成され、吊り下げ軸軸受けに吊り下げ軸が貫通していて、吊り下げ軸に溝を設けてあって、吊り下げ軸にスプリングが装着され、溝にCワッシャーがはまっていて、フック軸と吊り下げ軸を支点としてフードの鍔アームと、フードサイドアームと、フードバックアームの方向を変える事ができる、と共に、フードの鍔アームにフードの鍔ピンチが設けられて、フードの鍔を開いてフードの鍔をフードの鍔ピンチで留めることが出来る衣服用ハンガー。
【００１３】
本願発明２、衣服ハンガーにおいて、衣服ハンガーにフードハンガーの機能を持たせるために、衣服ハンガーの左肩と右肩間に伸びるショルダー支持アームを中央から左右に分けてフードの鍔アームにして、フードの鍔アームは横U字形状に成っていて、フードの鍔アームの上部の端にフック軸軸受けが形成され、フックにフック軸が設けられていて、フック軸の一端はフック軸フックに成っていて、フック軸軸受けにフック軸が貫通し、フック軸軸受けにフック軸フックが引っかかって留まっている、と共に、フードの鍔アームの下部の端と、フードバックアームと、フードサイドアームの一端に吊り下げ軸軸受けが形成されて、吊り下げ軸軸受けに吊り下げ軸が貫通していて、吊り下げ軸上部に留めフックが設けられ、フードの鍔アームの吊り下げ軸軸受けに留めフックが引っかかって留まっていて、フック軸と吊り下げ軸を支点としてフードの鍔アームと、フードバックアームと、フードサイドアームの向きを変えることが出来る、と共に、フードの鍔アーム(５２)の内側にフードの鍔ピンチ(５３)が設けられていてフードの鍔を開いてフードの鍔をフードの鍔ピンチで留めることが出来る衣服用ハンガー。
【００１４】
本願発明３、衣服用ハンガーにおいて、フード衣服用ハンガーは、小型衣服ハンガーと衣服ハンガーと折り畳みジョイントの構成であって、小型衣服ハンガーの左肩と右肩間に伸びるショルダー支持アームを中央から左右に分けてフードの鍔アームにして、フードの鍔アームの上端にフック軸軸受けが形成され、フック軸軸受けにフック軸が貫通していて、フードの鍔アームにフードの鍔ピンチが設けられている、と共に、折り畳みジョイントは、ジョイントアームとジョイントベースの構成であって、ジョイントアームの一端に吊り下げ軸軸受けが形成され他端はジョイント軸に成っていて、ジョイントベースの下部はジョイント軸軸受けが形成され、ジョイント軸にジョイント軸軸受けが装着され、ジョイントアームはジョイント軸を要として回転自在に成っていて、ジョイントベースの上部はジョイントベース軸であって、フードの鍔アームの下端はジョイントベース軸軸受けに成っていて、フードの鍔アームの下にジョイントベース軸軸受けを有するフードサイドアームが設けられ、それぞれのジョイントベース軸軸受けにジョイントベース軸が貫通して、フードの鍔アームはフック軸とジョイントベース軸を要として開閉出来て、衣服ハンガーの上部の吊り下げ軸に吊り下げ軸軸受けが装着され、ジョイントアームは吊り下げ軸を要として回転自在に成っていて、フードの鍔アーム留めに衣服ハンガーの一部を挟んで小型衣服ハンガーと成人用の衣服ハンガーを一体の状態に出来る衣服用ハンガー。
【００１５】
衣服用ハンガーにおいて、フックに湾曲状の溝が形成され、フックに装着された湾曲形状のハンガー脱落止めに脱落止めフックと操作突起が設けてあって、溝に脱落止めフックがはまっていて、操作突起を上下してフックの開口部を開閉出来る衣服用ハンガー。
【００１６】
本願発明１、衣服ハンガーを、フード付き衣装を乾す為のフードハンガーの機能を持たせるために、衣服ハンガーの左肩と右肩間に伸びるショルダー支持アームを中央から左右に分けてフードの鍔アーム にして、フードの鍔アームは横U字形状に成っていて、フードの鍔アームの上部の端にフック軸軸受けが形成され、フックにフック軸が設けられていて、フック軸軸受けにフック軸が貫通し、フック軸に溝を設けてあって、フック軸にフック軸スプリングが装着され、溝に留めCワッシャーがはまっていて、フードの鍔アームにフードの鍔ピンチが設けられている。
【００１７】
フードの鍔アームの下部の端と、フードを後ろ方向に広げる為のフードバックアームと、フードを左右に広げる為のフードサイドアームに吊り下げ軸軸受けが形成されて、吊り下げ軸軸受けに吊り下げ軸が貫通していて、吊り下げ軸に溝を設けてあって、吊り下げ軸にスプリングが装着され、溝にCワッシャーはまっていて、フードの大小の縦の距離を調整するために、吊り下げ軸下部はフックと衣服用ハンガーのフックの距離を調整する調整輪が装着されている。
【００１８】
本願発明２、小人用の衣服ハンガーを、フード付き衣装を乾す為のフードハンガーの機能を持たせるために、小人用の衣服ハンガーの左肩と右肩間に伸びるショルダー支持アームを中央から左右に分けてフードの鍔アーム にして、フードの鍔アームは横U字形状に成っていて、フードの鍔アームの内側にフードの鍔ピンチが設けられている。
【００１９】
フードの鍔アームの上部の端にフック軸軸受けが形成され、フックにフック軸が設けられていて、フック軸の一端はフック軸フックに成っていて、フック軸軸受けにフック軸が貫通し、フック軸軸受けにフック軸フックが引っかかって留まっている。
【００２０】
フードの鍔アームの下部の端と、フードを後ろ方向に広げる為のフードバックアームと、フードを左右に広げる為のフードサイドアームに吊り下げ軸軸受けが形成されて、吊り下げ軸軸受けに吊り下げ軸が貫通していて、吊り下げ軸上部に留めフックが設けられ、フードの鍔アームの吊り下げ軸軸受けに留めフックが引っかかって留まっていて、フードの大小の縦の距離を調整するために、吊り下げ軸下部はフックと衣服用ハンガーのフックの距離を調整する調整輪が装着されている。
【００２１】
本願発明３、フード衣服用ハンガーは、小型衣服ハンガーと成人用の衣服ハンガーと、小型衣服ハンガーと衣服ハンガーを繋ぐ折り畳みジョイントの構成であって、小型衣服ハンガーの左肩と右肩間に伸びるショルダー支持アームを中央から左右に分けてフードの鍔アームにして、フードの鍔アームは横U字形状に成っていて、フードの鍔アームの上端にフック軸軸受けが形成され、フックの下部は先の割れたフック軸に成っていて、フック軸軸受けにフック軸が貫通していて、フードの鍔アームにフードの鍔ピンチが設けられている。
【００２２】
衣服ハンガーの上部の中央は吊り下げ軸に成っていて、衣服ハンガーとフードの鍔アームとの重なる部分は、フードの鍔アームに湾曲形状のフードの鍔アーム留めが形成されていて、衣服ハンガーの左右の肩幅拡張パットに起き上がりフック軸が設けられ、起き上がりフックに穴が設けてあって、穴に起き上がりフック軸が嵌って上がり起き上がりフックは起き上がりフック軸を要として葉動自在に成っている。
【００２３】
折り畳みジョイントは、ジョイントアームとジョイントベースの構成であって、ジョイントアームの一端にフック型の吊り下げ軸軸受けが形成され他端はジョイント軸に成っていて、ジョイントベースの下部はジョイント軸軸受けが形成され、ジョイント軸にジョイント軸軸受けが装着され、ジョイントアームはジョイント軸を要として回転自在に成っていて、ジョイントベースの上部は先の割れたフック形状のジョイントベース軸に成っている。
【００２４】
フードの鍔アームの下端はジョイントベース軸軸受けに成っていて、フードの鍔アームの下にフードを後方左右に広げる為のジョイントベース軸軸受けを有するフードサイドアームが設けられ、それぞれのジョイントベース軸軸受けにジョイントベース軸が貫通していて、フードの鍔アームはフック軸とジョイントベース軸を要として開閉可能に成っていて、吊り下げ軸に吊り下げ軸軸受けが装着され、ジョイントアームは吊り下げ軸を要として回転自在に成っている。
【００２５】
フックに湾曲状の溝が形成され、フックに装着された湾曲形状のハンガー脱落止めに脱落止めフックと操作突起が設けてあって、溝に脱落止めフックがはまっている。
【発明の効果】
【００２６】
以下図面に基づき説明する。
本願発明１、図１−図５符合１−符号１５は、衣服ハンガー(１)を、フード付き衣装を乾す為のフード補助具の機能を持たせるために、衣服ハンガー(１)の左右の肩が横U字形状である衣服ハンガー(１)の左肩と右肩間に伸びるショルダー支持アームを中央から左右に分けることにおいて、左右に分けたショルダー支持アームは横U字形状に成っていて、フードの鍔アーム(２)にすることができる。
【００２７】
フードの鍔アーム (２) の上部の端にフック軸軸受け(３)が形成され、フック(４)にフック軸(５)が設けられていて、フック軸軸受け(３)にフック軸(５)が貫通し、フック軸(５)に溝を設けてあって、フック軸(５)にフック軸スプリング(６)が装着され、溝に留めCワッシャー(７)がはまっていて、フードの鍔アーム(２) の下部の端に吊り下げ軸軸受け(１１)が形成され、吊り下げ軸軸受け(１１)に吊り下げ軸(１２)が貫通していて、フードの鍔アーム(２)にフードの鍔ピンチ(８)が設けられていることにおいて、フードの鍔アーム(２)を左右に開くことが出来てフードの鍔を開いてフードの鍔ピンチ(８)で留めることが出来る。
【００２８】
フードの鍔アーム(２)の下に設けたフードバックアーム(９)と、フードサイドアーム(１０)に吊り下げ軸軸受け(１１)が形成されて、吊り下げ軸軸受け(１１)に吊り下げ軸(１２)が貫通していて、吊り下げ軸(１２)に溝を設けてあって、吊り下げ軸(１２)にスプリング(１３)が装着され、溝にCワッシャー(１４)がはまっていることにおいて、フードバックアーム(９)をフードの後方の左右に開いてフードを後ろ方向に広げることが出来て、フードサイドアーム(１０)を左右に開いてフードを左右に広げることができる。
【００２９】
吊り下げ軸(１２)下部に調整輪(１５)が装着されていることにおいて、フック(４)と衣服用ハンガーのフックの距離を調整することが出来る。
【００３０】
フック軸軸受け(３)が重なる面と、吊り下げ軸軸受け(１１)が重なる面を波形状にしていて、吊り下げ軸(１２)にスプリング(１３)が装着され、フック軸(５)にフック軸スプリング(６)が装着されていることにおいて、フードの鍔アーム(２)と、フードバックアーム(９)と、フードサイドアーム(１０)の方向を保持出来て、又、フードの鍔アーム(２)と、フードバックアーム(９)と、フードサイドアーム(１０)の方向を変える場合に生じる波形状の波頭どうしの干渉幅を吸収出来る。。
【００３１】
本願発明２、図６−図１１符合５１−符号６４は、幼児用衣服ハンガー(６１)のフードの鍔アーム(６２)と、フードバックアーム(５９)と、フードサイドアーム(５８)を左右に広げた図５図６の状態で、フードの鍔アーム(６２)と、フードバックアーム(５９)と、フードサイドアーム(５８)と吊り下げ軸軸受け(６０)との接合部を吊り下げ軸(６１)の中心点から後方にしていることにおいて、左右のフードサイドアーム(５８)を手前で合わせて畳むことが出来て、又、左右のフードの鍔アーム(５２)を手前で合わせて畳むことが出来て、フードバックアーム(５９)も手前に持ってくることが出来る。
【００３２】
フードの鍔アーム(５２)の上部にパンツウエストピンチ(６４)が形成されていることにおいて、左右に伸びたフードの鍔アーム(５２)のパンツウエストピンチ(６４)にパンツのウエストを留め、フードバックアーム(５９)と、フードサイドアーム(５８)は前後方向に向けるとパンツのウヱストを広げることが出来る。
【００３３】
本願発明３、図１２−図１７符合１０１−符号１２７のフード衣服用ハンガー(１０１)は、小型衣服ハンガー(１０２)と成人用の衣服ハンガー(１０３)と、小型衣服ハンガー(１０２)と衣服ハンガー(１０３)を繋ぐ折り畳みジョイント(１０４)の構成であって、小型衣服ハンガー(１０２)の左肩と右肩間に伸びるショルダー支持アームを中央から左右に分けてフードの鍔アーム(１０５)にして、フードの鍔アーム(１０５)は横U字形状に成っていて、フードの鍔アーム(１０５)の上端にフック軸軸受け(１０６)が形成され、フック(１０７)の下部は先の割れたフック軸(１０８)に成っていて、フック軸軸受け(１０６)にフック軸(１０８)が貫通している。
【００３４】
フードの鍔アーム(１０５) の下端はジョイントベース軸軸受け(１２２)に成っていて、フードの鍔アーム(１０５)の下にフードを後方左右に広げる為のジョイントベース軸軸受け(１２２)を有するフードサイドアーム(１２３)が設けられ、ジョイントベース(１１７)の上部は先の割れたフック形状のジョイントベース軸(１２１)に成っていて、それぞれのジョイントベース軸軸受け(１２２)にジョイントベース軸(１２１)が貫通していることにおいて、フードの鍔アーム(１０５)はフック軸(１０８)とジョイントベース軸(１２１)を要として開閉可能に成っていて、フードの鍔アーム(１０５)にフードの鍔ピンチ(１０９)が設けられていて、フードの鍔をフック(１０７)の下を通過させてフードの鍔を広げてフードの鍔ピンチ(１０９)に留める事ができる。
【００３５】
折り畳みジョイント(１０４)は、ジョイントアーム(１１６)とジョイントベース(１１７)の構成であって、ジョイントアーム(１１６)の一端にフック型の吊り下げ軸軸受け(１１８)が形成され、衣服ハンガー(１０３)の上部の中央は吊り下げ軸(１１０)に成っていて、吊り下げ軸(１１０)に吊り下げ軸軸受け(１１８)が装着されていることにおいて、ジョイントアーム(１１６)は吊り下げ軸(１１０)を要として回転自在に成っている。
【００３６】
ジョイントアーム(１１６)にジョイント軸(１１９)が設けてあって、ジョイントベース(１１７)の下部はフック形状のジョイント軸軸受け(１２０)が形成され、ジョイント軸(１１９)にジョイント軸軸受け(１２０)が装着されていることにおいて、ジョイントアーム(１１６)はジョイント軸(１１９)を要として回転自在に成っている。
【００３７】
フック(１０７)に湾曲の溝(１２４)が形成され、フックに装着された湾曲形状のハンガー脱落止め(１２５)に脱落止めフック(１２６)と操作突起(１２７)が設けてあって、溝(１２４)に脱落止めフック(１２６)がはまっていることにおいて、操作突起(１２７)を上下してハンガー脱落止め(１２５)でフック(１０７)の開口部を開閉出来る。
【００３８】
衣服ハンガー(１０３)とフードの鍔アーム(１０５)との重なる部分はフードの鍔アーム(１０５)に湾曲形状のフードの鍔アーム留め(１１１)が形成されていていることにおいて、フードの鍔アーム留め(１１１)にフードの鍔アーム(１０５)の一部を挟んで小型衣服ハンガー(１０２)と成人用の衣服ハンガー(１０３)を一体に出来る。
【００３９】
衣服ハンガー(１０３)の左右の肩幅拡張パット(１１２)に起き上がりフック軸(１１３)が設けられ、起き上がりフック(１１４)に穴(１１５)が設けてあって、穴(１１５)に起き上がりフック軸(１１３)が嵌っていることにおいて、上がり起き上がりフック(１１４)は起き上がりフック軸(１１３)を要として葉動自在に成っている。
【図面の簡単な説明】
【００４０】
【図１】衣服ハンガーの上でフードを広げる為の機能を持つ衣服ハンガー(１)の正面図。
【図２】衣服ハンガー(１)の正面図。
【図３】A−A切断線を示す衣服ハンガー(１)の平面図。
【図４】図３のA−A線切断端面図。
【図５】フードバックアーム(９)をフードの後部に広げ、フードサイドアーム(１０)をフードの左右に広げ、フードの鍔アーム (２)をフードの鍔方向に広げた衣服用ハンガー(５１)の平面図
【図６】衣服ハンガーの上でフードを広げる為の機能を持つ小人用衣服ハンガー(５１)の正面図。
【図７】小人用衣服ハンガー(５１)の正面図。
【図８】B−B切断線を示す小人用衣服ハンガー(５１)の平面図。
【図９】図８のB−B線切断端面図。
【図１０】フードバックアーム(５９)をフードの後部に広げ、フードサイドアーム(５８)をフードの左右に広げ、フードの鍔アーム (５２)をフードの鍔方向に広げた小人用衣服ハンガー(５１)の平面図
【図１１】小人用衣服ハンガー(５１)の上部にパンツウエストピンチ(６４)が形成されている小人用衣服ハンガー(５１)の正面図。
【図１２】フード衣服用ハンガー(１０１)の正面図。
【図１３】小型衣服ハンガー(１０２)と成人用の衣服ハンガー(１０３)を一体にして、通常に使用可能な衣服用ハンガーにしたフード衣服用ハンガー(１０１)の正面図
【図１４】小型衣服ハンガー(１０２)と成人用の衣服ハンガー(１０３)を一体にして、通常に使用可能な衣服用ハンガーにしたフード衣服用ハンガー(１０１)の背面図。
【図１５】C−C切断線を示す小型衣服ハンガー(１０２)と成人用の衣服ハンガー(１０３)を一体にして、通常に使用可能な衣服用ハンガーにしたフード衣服用ハンガー(１０１)の平面図。
【図１６】図１５のC−C線切断端面図。
【図１７】狭い襟用カーブ(１２８)が形成されている成人用の衣服ハンガー(１０３)の背面図
【発明を実施するための形態】
【００４１】
以下図面に基づき説明する。
本願発明１、図１−図５符合１−符号１５は、衣服ハンガー(１)を、フード付き衣装を乾す為のフードハンガーの機能を持たせるために、衣服ハンガー(１)の左肩と右肩間に伸びるショルダー支持アームを中央から左右に分けてフードの鍔アーム(２)にして、フードの鍔アーム(２)は横U字形状に成っていて、フードの鍔アーム(２) の上部の端にフック軸軸受け(３)が形成され、フック(４)にフック軸(５)が設けられていて、フック軸軸受け(３)にフック軸(５)が貫通し、フック軸(５)に溝を設けてあって、フック軸(５)にフック軸スプリング(６)が装着され、溝に留めCワッシャー(７)がはまっていて、フードの鍔アーム(２)にフードの鍔ピンチ(８)が設けられている。
【００４２】
フードの鍔アーム(２)の下部の端と、フードを後ろ方向に広げる為のフードバックアーム(９)と、フードを左右に広げる為のフードサイドアーム(１０)に吊り下げ軸軸受け(１１)が形成されて、吊り下げ軸軸受け(１１)に吊り下げ軸(１２)が貫通していて、吊り下げ軸(１２)に溝を設けてあって、吊り下げ軸(１２)にスプリング(１３)が装着され、溝にCワッシャー(１４)はまっていて、フードの大小の縦の距離を調整するために、吊り下げ軸(１２)下部はフック(４)と衣服用ハンガーのフックの距離を調整する調整輪(１５)が装着されている。
【００４３】
本願発明２、図６−図１１符合５１−符号６４は、小人用衣服ハンガー(５１)を、フード付き衣装を乾す為のフードハンガーの機能を持たせるために、小人用衣服ハンガー(５１)の左肩と右肩間に伸びるショルダー支持アームを中央から左右に分けてフードの鍔アーム(５２)にして、フードの鍔アーム(５２)は横U字形状に成っていて、フードの鍔アーム(５２)の内側にフードの鍔ピンチ(５３)が設けられている。
【００４４】
フードの鍔アーム(５２)の上部の端にフック軸軸受け(５４)が形成され、フック(５５)にフック軸(５６)が設けられていて、フック軸(５６)の一端はフック軸フック(５７)に成っていて、フック軸軸受け(５４)にフック軸(５６)が貫通し、フック軸軸受け(５４)にフック軸フック(５７)が引っかかって留まっている。
【００４５】
フードの鍔アーム(５２)の下部の端と、フードを後ろ方向に広げる為のフードバックアーム(５９)と、フードを左右に広げる為のフードサイドアーム(５８)に吊り下げ軸軸受け(６０)が形成されて、吊り下げ軸軸受け(６０)に吊り下げ軸(６１)が貫通していて、吊り下げ軸(６１)上部に留めフック(６２)が設けられ、フードの鍔アーム(５２) の吊り下げ軸軸受け(６０)に留めフック(６２)が引っかかって留まっていて、フードの大小の縦の距離を調整するために、吊り下げ軸(６１)下部はフック(５５)と衣服用ハンガーのフックの距離を調整する調整輪(６３)が装着されている。
【００４６】
フードの鍔アーム(５２)の上部にパンツのウエストを留める為のパンツウエストピンチ(６４)が形成されている。
【００４７】
本願発明３、図１２−図１７符合１０１−符号１２７のフード衣服用ハンガー(１０１)は、小型衣服ハンガー(１０２)と成人用の衣服ハンガー(１０３)と、小型衣服ハンガー(１０２)と衣服ハンガー(１０３)を繋ぐ折り畳みジョイント(１０４)の構成であって、小型衣服ハンガー(１０２)の左肩と右肩間に伸びるショルダー支持アームを中央から左右に分けてフードの鍔アーム(１０５)にして、フードの鍔アーム(１０５)は横U字形状に成っていて、フードの鍔アーム(１０５)の上端にフック軸軸受け(１０６)が形成され、フック(１０７)の下部は先の割れたフック軸(１０８)に成っていて、フック軸軸受け(１０６)にフック軸(１０８)が貫通していて、フードの鍔アーム(１０５)にフードの鍔ピンチ(１０９)が設けられている。
【００４８】
衣服ハンガー(１０３)の上部の中央は吊り下げ軸(１１０)に成っていて、衣服ハンガー(１０３)とフードの鍔アーム(１０５)との重なる部分は、フードの鍔アーム(１０５)に湾曲形状のフードの鍔アーム留め(１１１)が形成されていて、衣服ハンガー(１０３)の左右の肩幅拡張パット(１１２)に起き上がりフック軸(１１３)が設けられ、起き上がりフック(１１４)に穴(１１５)が設けてあって、穴(１１５)に起き上がりフック軸(１１３)が嵌って上がり起き上がりフック(１１４)は起き上がりフック軸(１１３)を要として葉動自在に成っている。
【００４９】
折り畳みジョイント(１０４)は、ジョイントアーム(１１６)とジョイントベース(１１７)の構成であって、ジョイントアーム(１１６)の一端にフック型の吊り下げ軸軸受け(１１８)が形成され他端はジョイント軸(１１９)に成っていて、ジョイントベース(１１７)の下部はジョイント軸軸受け(１２０)が形成され、ジョイント軸(１１９)にジョイント軸軸受け(１２０)が装着され、ジョイントアーム(１１６)はジョイント軸(１１９)を要として回転自在に成っていて、ジョイントベース(１１７)の上部は先の割れたフック形状のジョイントベース軸(１２１)に成っている。
【００５０】
フードの鍔アーム(１０５) の下端はジョイントベース軸軸受け(１２２)に成っていて、フードの鍔アーム(１０５)の下にフードを後方左右に広げる為のジョイントベース軸軸受け(１２２)を有するフードサイドアーム(１２３)が設けられ、それぞれのジョイントベース軸軸受け(１２２)にジョイントベース軸(１２１)が貫通していて、フードの鍔アーム(１０５)はフック軸(１０８)とジョイントベース軸(１２１)を要として開閉可能に成っていて、吊り下げ軸(１１０)に吊り下げ軸軸受け(１１８)が装着され、ジョイントアーム(１１６)は吊り下げ軸(１１０)を要として回転自在に成っている。
【００５１】
フック(１０７)に湾曲状の溝(１２４)が形成され、フックに装着された湾曲形状のハンガー脱落止め(１２５)に脱落止めフック(１２６)と操作突起(１２７)が設けてあって、溝(１２４)に脱落止めフック(１２６)がはまっている。
【００５２】
普通ハンガーとしての使用方法は、フードの鍔アーム留め(１１１)に衣服ハンガー(１０３)の一部を挟んで小型衣服ハンガー(１０２)と成人用の衣服ハンガー(１０３)を一体の状態にして普通のハンガーとして使用出来る。
【００５３】
フード衣服用ハンガー(１０１)としての使用方法は、フードの鍔アーム留め(１１１)に衣服ハンガー(１０３)の一部が挟まれた状態を解除し、吊り下げ軸(１１０)と吊り下げ軸軸受け(１１８)の接合部を小型衣服ハンガー(１０２)の後方から下へ90度まわし、折り畳みジョイント(１０４)を真っ直ぐにして、フードの鍔アーム(１０５)の左右の端を前方にし、フードサイドアーム(１２３)の左右の端を左右の後方にすることでフード衣服用ハンガー(１０１)として使用可能な状態になる。
【００５４】
衣服ハンガー(１０３)に狭い襟用カーブ(１２８)が形成されている。
【産業上の利用可能性】
【００５５】
普段使い出来る衣装ハンガーを幼児用フード付き衣装から成人用フード付き衣装の洗濯物を乾燥時に使用出来て使い勝手が良く、又、安価に製造できる。
【符号の説明】
【００５６】
１  衣服ハンガー
２  フードの鍔アーム
３  フック軸軸受け  
４  フック
５  フック軸  
６  フック軸スプリング    
７  留めCワッシャー    
８  フードの鍔ピンチ  
９  フードバックアーム
１０  フードサイドアーム  
１１  吊り下げ軸軸受け
１２  吊り下げ軸
１３  スプリング
１４  Cワッシャー
１５  調整輪
５１  小人用衣服ハンガー
５２  フードの鍔アーム
５３  フードの鍔ピンチ
５４  フック軸軸受け
５５  フック  
５６  フック軸  
５７  フック軸フック  
５８  フードサイドアーム  
５９  フードバックアーム
６０  吊り下げ軸軸受け
６１  吊り下げ軸
６２  留めフック
６３  調整輪
６４  パンツウエストピンチ
１０１  フード衣服ハンガー
１０２  小型衣服ハンガー
１０３  衣服ハンガー
１０４  折り畳みジョイント
１０５  フードの淵アーム
１０６  フック軸軸受け
１０７  フック
１０８  フック軸
１０９  フードの淵ピンチ
１１０  吊り下げ軸
１１１  フードの淵アーム留め
１１２  肩幅拡張パット
１１３  起き上がりフック軸
１１４  起き上がりフック
１１５  穴
１１６  ジョイントアーム
１１７  ジョイントベース
１１８  吊り下げ軸軸受け
１１９  ジョイント軸
１２０  ジョイント軸軸受け
１２１  ジョイントベース軸
１２２  ジョイントベース軸軸受け
１２３  フードサイドアーム
１２４  溝
１２５  ハンガー脱落止め
１２６  脱落止めフック
１２７  操作突起
１２８  狭い襟用カーブ
【図１】
2019187471.tif 000003
【図２】
2019187471.tif 000004
【図３】
2019187471.tif 000005
【図４】
2019187471.tif 000006
【図５】
2019187471.tif 000007
【図６】
2019187471.tif 000008
【図７】
2019187471.tif 000009
【図８】
2019187471.tif 000010
【図９】
2019187471.tif 000011
【図１０】
2019187471.tif 000012
【図１１】
2019187471.tif 000013
【図１２】
2019187471.tif 000014
【図１３】
2019187471.tif 000015
【図１４】
2019187471.tif 000016
【図１５】
2019187471.tif 000017
【図１６】
2019187471.tif 000018
【図１７】
2019187471.tif 000019